(57)【要約】【課題】建築物のオーバーハング部構築にあたり、その軒天下部に簡単に設置でき、軽量かつ確実な取付構造の仮設ステージを提供する。【解決手段】建築物一般部３から張出して設けられるオーバーハング部４の軒天下部に設置される仮設ステージ５であって、該仮設ステージ５は、前記オーバーハング部４の先端に設けた鉄骨など構造部材に係止される水平な腕木６を上部に設けた柱体７と、柱体７に回動可能にヒンジされた梁９、横梁１０、床板１１とからなる床部とを備え、前記柱体７と床部が同一直線となるように吊上げ、前記腕木６を前記構造部材先端に状態に固定することにより、前記柱体７をオーバーハング部４の下部に鉛直支持したうえでヒンジ８を基点に床部を回動して水平に保持し、その回動端を前記建築物の一般部３に固定したものである。【選択図】　　　図３
2004076525.tif 000002
【特許請求の範囲】
【請求項１】
建築物の一般部から張り出して設けられるオーバーハング部の軒天下部に設置される仮設ステージであって、
前記オーバーハング部の先端に設けた鉄骨などの構造部材に係止される腕木を上部に設けた柱体と、該柱体に回動可能にヒンジされた床部とを備え、
前記腕木を前記構造部材先端に固定することにより、前記柱体をオーバーハング部の下部に鉛直支持した状態で前記床部が水平に保持され、その回動端を前記建築物の一般部に固定したものであることを特徴とする仮設ステージ。
【請求項２】
前記床部は、柱体の下端にヒンジを介して回動可能に連結された複数の梁と、各梁間を連結する複数の横梁と、梁上に一面に敷設された床板とからなるものであることを特徴とする請求項１に記載の仮設ステージ。
【発明の詳細な説明】
【０００１】
【発明の属する技術分野】
本発明は、建築物におけるオーバーハング部の構築に用いられる仮設ステージに関する。
【０００２】
【従来の技術】
一般に、仮設足場は、建築物の外周を取巻くように、建築物の階が増すに従って下方から順に組上げられる。これは当該建築物が工事進捗に伴って直線状に上方に伸びる工法に適合する。
【０００３】
ところで、テラス、展望台など他の階より張出した部分の軒天を有する建築物を構築するにあたっては、このようなオーバーハング部の直下に仮設ステージを設ける必要がある。また、仮設ステージは、オーバーハング量に応じて建築物から水平方向に突出させる必要がある。この場合の仮設ステージは、オーバーハング階の下階に、仮設梁を突出させた状態に固定し、この梁に仮設床板を張ればよい。
【０００４】
【発明が解決しようとする課題】
ところが、建築物の構造材に仮設梁を連結したのでは、片持ち支持となるため、突出側と反対側に十分な支持長さを必要とするため、建築物の構造によっては必要な支持長さが得られない場合があったり、仮設梁撤去後における構造材の修復に手数がかかっていた。
【０００５】
また、仮設ステージを設けることなくオーバーハング部を構築する手法として、予めオーバーハング部分を地上部で製作し、これをリフトアップして、取付階に連結したり、ユニット化して取付けることも考えられるが、建設コスト増の原因となる。また、オーバーハング部の建築物に占める面積が大きく、オーバーハング部が大荷重である場合には、建築物躯体の補強が必要であるため、着工時からその準備が必要であってその採用は非現実的なものとなっていた。
【０００６】
本発明は、以上の課題を解決するためになされたものであり、その目的とするところは　、建築物のオーバーハング部構築にあたり、その軒天下部に簡単に設置でき、軽量かつ確実な取付構造の仮設ステージを提供するものである。
【０００７】
【課題を解決するための手段】
前記目的を達成するため、本発明では、建築物の一般部から張り出して設けられるオーバーハング部の軒天下部に設置される仮設ステージであって、前記オーバーハング部の先端に設けた鉄骨などの構造部材に係止される腕木を上部に設けた柱体と、該柱体に回動可能にヒンジされた床部とを備え、前記腕木を前記構造部材先端に固定することにより、前記柱体をオーバーハング部の下部に鉛直支持した状態で前記床部が水平に保持され、その回動端を前記建築物の一般部に固定したものであることを特徴とするものである。従って、本発明では、タワークレーンなどによる吊上げと、先端上部の固定及び床部の引き寄せと固定により、両端固定により安定支持された仮設ステージとなる。
【０００８】
また、本発明における前記床部は、柱体の下端にヒンジを介して回動可能に連結された複数の梁と、各梁間を連結する複数の横梁と、梁上に一面に敷設された床板とからなるものであることにより、鉄骨と床板の組合わせによる軽量構造を実現できる。
【０００９】
【発明の実施の形態】
以下、本発明の好ましい実施の形態につき、添付図面を参照して詳細に説明する。図１は本発明を適用した建築中の高層マンションなどの高層ビルを示し、この高層ビル１の屋上部には、資材揚重用のタワークレーン２が仮設され、このクレーン２を用いて資材を揚重しつつ各部が鉛直方向に面一に形成された一般部３の構築後に、これの側面に張出したオーバーハング部４を例えば上下二箇所において構築するものである。
【００１０】
両オーバーハング部４は、例えば３階分の高さとなっており、かつビル１の一般部３における各階廊下部分３ａに面して構築されるため、その下部に従来の片持ち梁方式の仮設ステージを仮設しようとしても、十分な梁長さで設置することが困難な部位となっている。
【００１１】
図２（ａ）〜（ｅ）は、前記オーバーハング部４の構築手順及び仮設ステージの組付け手順を示す。まず、図２（ａ）に示すように、仮設ステージ５を地上部よりクレーン２により吊上げ、図２（ｂ）に示すようにその上端を鉄骨ユニット４ａの先端部に固定後、その床部を回動し、その回動端を鉄骨ユニット４ａの下階における一般部４に固定することで、仮設ステージ５は、図２（ｃ）に示すように、鉄骨ユニット４ａの下部において、鉄骨ユニット４ａと一般部３の間に両端固定される。
【００１２】
次いで、図２（ｄ）に示すように，オーバーハング部４の２階、３階部分の柱、梁を構成する鉄骨４ｂの単体を順次揚重しつつ組立を行い、鉄骨骨組完成後、図２（ｅ）の破線で示すごとく、各部に必要な落下養生作業を行った上で型枠などを設置してスラブコンクリートを打設し、その後、外装カーテンウォール工事、及び軒天工事（耐火被覆、発泡ウレタン吹きつけ、ゴンドラレール設置、軒天パネル設置シールなど）などの一連の工事を行うことによりオーバーハング部４が完成する。
【００１３】
図３に前記仮設ステージ５の詳細構造及びその取付手順を示す。仮設ステージ５は、上端に腕木６を水平に設けた一対の柱体７と、柱体７の下端にヒンジ軸受８を介して回動可能に連結された複数の梁９と、各梁９間に直交して梁９同士を連結する複数の横梁１０と、梁９上に束材などを介して一面に敷設された床板１１と、各梁９間及び柱体７間に掛渡された図示しない複数の補強用ブレースなどからなる軽量構造体となっている。
【００１４】
この仮設ステージ５の取付にあたっては、複数の作業員が各所に配置される。これら各作業員は、監視、玉掛け、玉外し、ワイヤ接続及び切離し、ウインチ操縦などにたずさわる人達であり、これら各作業員の配置の元に以下の組付け作業がなされる。
【００１５】
まず、図中▲１▼の段階、すなわち、玉掛け用ワイヤ１２を介して前記クレーン２により空中に吊上げられた状態では、柱体７及び梁９は一直線の吊り荷姿勢となり、また、梁９の回動端にはガイドワイヤ１３が接続され、このガイドワイヤ１３によって一般部３側に引寄せられる。ガイドワイヤ１３の端部はガイド金具１４に仮固定される。
【００１６】
▲２▼の段階、すなわち吊り降ろし完了状態では、鉄骨ユニット４ａの先端位置上部に腕木６が当接し、これに引っ掛け係止された状態となる。そして、この位置に待機している作業員により各腕木６を鉄骨ユニット４ａの先端位置にボルト締めにより固定し、その後吊り用ワイヤ１２の玉外しがなされる。
【００１７】
▲３▼の段階では、ガイドワイヤ１３は一般部４の上階に配置された電動ウインチ１５側のワイヤに連結され、これの駆動により、滑車１６を介してウインチ１５にガイドワイヤ１３を導きつつ巻取ることで、図中矢印及び想像線で示すように床部分はヒンジ軸受８を基点に上方に回動する。
【００１８】
水平位置で、梁９の端部を一般部３の鉄骨先端に設けたブラケット１７上に設置し、ここに待機している作業員により、梁９の端部はボルト締めにより固定される。
【００１９】
その後は、接合部の隙間養生を行えば、一般部３と仮設ステージ５間を自由に出入りできることになり、以後は、オーバーハング部３の軒天における型枠の設置やスラブコンクリート打設、その他前述する軒天工事の足場として活用することができる。
【００２０】
オーバーハング部４の完成後は、前記とは逆の手順により仮設ステージ５は撤去され、クレーン２により地上部に吊り下ろされる。
【００２１】
なお、以上の実施形態では一つの仮設ステージ５の側面のみを示したが、図の紙面と直交する方向に複数の仮設ステージ５を並列するなど、設置面積に応じて複数分割することで、仮設ステージ５の一台あたりの重量を軽減できる。
【００２２】
【発明の効果】
以上の説明により明らかなように、本発明による仮設ステージによれば、建築物のオーバーハング部構築にあたり、その軒天下部に簡単に設置でき、軽量かつ確実な取付構造とすることができる。
【図面の簡単な説明】
【図１】本発明の仮設ステージが適用される高層ビルの全体説明図である。
【図２】（ａ）〜（ｅ）は同オーバーハング部の構築手順及び仮設ステージの組付け手順を示す説明図である。
【図３】同仮設ステージの詳細及びその組付け手順を示す側面図である。
【符号の説明】
１　高層ビル
３　一般部
４　オーバーハング部
４ａ　鉄骨ユニット（構造部材）
５　仮設ステージ
６　腕木
７　柱体
８　ヒンジ軸受
９，１０，１１　床部（９　梁、１０　横梁、１１　床板）
【図１】
2004076525.tif 000003
【図２】
2004076525.tif 000004
【図３】
2004076525.tif 000005